(57)【特許請求の範囲】
【請求項１】
追記型光ディスクの記録面に光ビームを照射することにより、情報を記録・再生する光ディスクの情報記録装置において、
前記光ディスクに記録しようとする複数のデータについて記録フォーマットへ変換してメモリに書き込み、それを読み出すことにより実行される変換テスト処理を行い、そのテスト結果から当該ディスクに適応可能な高速記録可能なデータと低速記録すべきデータとを判別する最適記録速度判別手段と、
前記により判別された高速記録可能なデータと低速記録すべきデータとを各々まとめて、各記録速度で書き込みを行う書込手段と
を備えたことを特徴とする光ディスクの情報記録装置。
【請求項２】
前記最適記録速度判別手段は、当該ディスクに適応可能な最高記録速度で変換テスト処理を行い、その変換テスト処理の結果がＯＫであるデータについては最高速度で記録可能なデータに分類し、前記変換テスト処理の結果がＮＧであるデータについては、１ランク低速の記録速度で変換テスト処理を行い、以下、同様に分類処理を行うことにより、最適記録速度の判別を行うものであることを特徴とする請求項１に記載の光ディスクの情報記録装置。
【請求項３】
前記書込手段は、高速記録可能なデータについて書き込みを行った後、セッションクローズを行ってから、低速記録すべきデータについて書き込みを行うことを特徴とする請求項１又は請求項２に記載の光ディスクの情報記録装置。
【発明の詳細な説明】
【０００１】
【発明の属する技術分野】
本発明は、ＣＤ−Ｒディスクなどの追記型光ディスクの記録面に光ビームを照射することにより、情報の記録・再生を行う光ディスクの情報記録装置に関するものである。
【０００２】
【従来の技術】
従来から、一度のみのデータの書き込みが可能な光ディスクとして、追記型光ディスク（ＣＤ−Ｒ（Ｃｏｍｐａｃｔ  Ｄｉｓｋ−Ｒｅｃｏｒｄａｂｌｅ）やＣＤ−ＷＯ（Ｃｏｍｐａｃｔ  Ｄｉｓｋ−Ｗｒｉｔｅ  Ｏｎｃｅ））が知られている。また、再度の書き込みが可能なリライタブル型光ディスク（ＣＤ−ＲＷ（Ｃｏｍｐａｃｔ  Ｄｉｓｋ−Ｒｅｗｒｉｔａｂｌｅ）が知られている。
【０００３】
この種の光ディスクに、データを書き込み、又は読み出すドライブ装置（情報記録装置：以下ではＣＤ−Ｒドライブ装置について説明）は、ＣＤ−Ｒディスク上のプログラムエリアと呼ばれるユーザデータ領域にトラック形式で各種のデータを記録し、その記録したデータを再生する。このような光ディスクドライブ装置は、一般的に、記録レーザ光の最適パワーレベルを検出するパワーキャリブレーション機能を備えており、データを記録する際には、ＯＰＣ（Ｏｐｔｉｍｕｍ  Ｐｏｗｅｒ  Ｃｏｎｔｒｏｌ）と呼ばれるパワーキャリブレーション動作を行っている。
【０００４】
光ディスクの記録面上には、各種データを記憶すためのデータエリアの内周側にＴＯＣ（Ｔａｂｌｅ  ｏｆ  Ｃｏｎｔｅｎｔｓ）情報が記録されるリードインエリアが設けられ、このリードインエリアのさらに内周側に、記録動作に先立ってレーザ光の最適パワーを検出するために上記ＯＰＣ動作でのテスト記録を行うＰＣＡ領域（Ｐｏｗｅｒ  Ｃａｌｉｂｒａｔｉｏｎ  Ａｒｅａ）が設けられている。ＰＣＡ領域はテストエリアとカウントエリアとから成り、テストエリアは複数のパーティションから構成され、それぞれのパーティションは複数のフレームで構成されている。１回のＯＰＣ動作では、１つのパーティションが使用され、１５個のフレームに対して１５段階のレーザパワーでテスト信号を記録する。このテスト信号は、基準時間幅の３倍乃至１１倍の時間幅を有するパルス列からなるＥＦＭ（Ｅｉｇｈｔ  ｔｏ  Ｆｏｕｒｔｅｅｎ  Ｍｏｄｕｌａｔｉｏｎ）信号であり、フレームには複数の長さのピットが記録される。
【０００５】
また、リードインエリアの内周側には、ＰＭＡ領域（Ｐｒｏｇｒａｍ  Ｍｅｍｏｒｙ  Ａｒｅａ）が設けられ、このＰＭＡ領域には、ＣＤ−Ｒドライブ装置による光ディスクのトラックへのデータ記録の終了時、もしくはトラックへのデータ記録前に、そのトラックの開始（スタート）時間、終了（ストップ）時間等のトラックのアドレス情報を書き込むようにしている。ＣＤ−Ｒドライブ装置は、ＣＤ−Ｒディスクが挿入された場合、そのＣＤ−ＲディスクのＰＭＡ領域に存在するトラックのアドレス情報を収集することによって，そのディスク上の全トラックのアドレス情報を把握し、そのアドレス情報に基づいてトラックへの追記録及び再生の準備を行なう。このＰＭＡ領域には複数のセクタ単位で１つのトラックのアドレス情報が記録される。
【０００６】
また、光ディスクには、ＴＯＣ情報の一つとして、ＦＭ変調した周波数信号でなる絶対時間を示すＡＴＩＰ情報（Ａｂｓｏｌｕｔｅ  Ｔｉｍｅ  Ｉｎ  Ｐｒｅｇｒｏｏｖｅ）が記録され、このＡＴＩＰ情報には、当該ディスクの適応可能な記録速度（標準倍速、２倍速、４倍速など）と最適レーザパワーが予めディスクのメーカ側にて記録されている。
【０００７】
そして、現在市販されているＣＤ−Ｒディスクの多くは１〜４倍速（線速度）に対応しているが、書き込み時間を短縮するには、可能な限り最高記録速度で記録することが望まれるが、同じデータを同じメーカのＣＤ−Ｒディスクに書き込む場合であっても、データ構造や、光ディスクドライブ装置が接続されるコンピュータに搭載されたＣＰＵの性能やメモリ容量によっては、最高速度での正しい記録ができず、記録速度を落とす必要がある場合がある。
【０００８】
ところで、この種の光ディスクドライブ装置において、データ書き込み速度を向上するための各種改善策が提案されている。例えば、ある速度で正常にデータ記録できなかったときに、そのデータを低い速度で再度記録し、その結果、正常に記録できたときは速度モードを先の速度に戻すことで、記録速度を可能な限り高く維持しようとしたものがある（特開平７−７３５７１号公報参照）。しかしながら、この先行技術においては、光ディスクにデータを正常に書き込めない場合は、書き込みを何度も行うものであるため、ＣＤ−Ｒのような１回限りの追記型光ディスクに適用することはできない。
【０００９】
【発明が解決しようとする課題】
本発明は、上述した問題を解決するためになされたものであり、ユーザが使用する追記型光ディスクの適応可能な記録倍速の中でも可能な限り高い記録速度で記録を行なえるようにして記録時間の短縮が図れる光ディスクの情報記録装置を提供することを目的とする。
【００１０】
【課題を解決するための手段】
上記目的を達成するために請求項１の発明は、追記型光ディスクの記録面に光ビームを照射することにより、情報を記録・再生する光ディスクの情報記録装置において、前記光ディスクに記録しようとする複数のデータについて記録フォーマットへ変換してメモリに書き込み、それを読み出すことにより実行される変換テスト処理を行い、そのテスト結果から当該ディスクに適応可能な高速記録可能なデータと低速記録すべきデータとを判別する最適記録速度判別手段と、前記により判別された高速記録可能なデータと低速記録すべきデータとを各々まとめて、各記録速度で書き込みを行う書込手段とを備えたものである。
【００１１】
上記請求項１の発明においては、光ディスクに記録しようとする複数のデータについて記録フォーマットへの変換テスト処理を行い、そのテスト結果から当該ディスクに適応可能な高速記録可能なデータと低速記録すべきデータとを判別し、判別された高速記録可能なデータと低速記録すべきデータとを各々まとめて、各記録速度で書き込みを行う。
【００１２】
また、請求項２の発明は、請求項１に記載の構成において、最適記録速度判別手段は、当該ディスクに適応可能な最高記録速度で変換テスト処理を行い、その変換テスト処理の結果がＯＫであるデータについては最高速度で記録可能なデータに分類し、前記変換テスト処理の結果がＮＧであるデータについては、１ランク低速の記録速度で変換テスト処理を行い、以下、同様に分類処理を行うことにより、最適記録速度の判別を行うものである。
【００１３】
また、請求項３の発明は、請求項１又は請求項２に記載の光ディスクの情報記録装置において、書込手段は、高速記録可能なデータについて書き込みを行った後、セッションクローズを行ってから、低速記録すべきデータについて書き込みを行うものである。
【００１４】
【発明の実施の形態】
以下、本発明を具体化した一実施形態を図面を参照して説明する。
図１は光ディスクの情報記録装置を成すシステムの概略構成図である。情報記録装置は、追記型光ディスクであるＣＤ−Ｒ（ＣＤ−Ｒｅｃｏｒｄａｂｌｅ）ディスク１（ライトワンスＣＤとも称される）のデータを読み出し（再生）又は書き込み（記録）を行うＣＤ−Ｒドライブ（ライター）２を中核構成とし、このＣＤ−Ｒドライブ２には、インターフェイス３を介してシステム全体を総括的に制御し、所定の演算処理を実行するホストコンピュータ又はパーソナルコンピュータ５（以下、パソコンという）が接続される。パソコン５には、液晶等のディスプレイ６とハードディスク等からなり、記録動作のプログラムが格納されたライティングツール７が接続されている。また、ハードディスクには、ユーザがＣＤ−Ｒディスク１に書き込もうとするデータが格納されている。
【００１５】
ＣＤ−Ｒドライブ２は、パソコン５からの指示により、データの転送、ＣＤ−Ｒのデータ記録、読み取り（再生）を行うＣＰＵ１０を備えている。また、ＣＤ−Ｒドライブ２には、ＣＤ−Ｒディスク１のテーブルを回転駆動するモータ１１と、その駆動回路１２と、光ヘッド１３と、光ヘッド１３からの再生信号を処理する処理部１４と、光ヘッド１３に対する記録信号を処理する処理部１５と、光ヘッド１３を制御するフォーカスサーボ回路及びトラッキングサーボ回路１６が含まれる。また、ＣＰＵ１０には、ディスクへデータ書き込みに必要なデバイス情報等を記憶するＲＡＭ１７やプログラムが格納されたＲＯＭ１８等が接続されている。
【００１６】
ＣＤ−Ｒドライブ２は、図示しない操作部からパソコン５に入力される指令とそれに対応するプログラムにより制御され、記録・再生動作を行う。また、記録動作に先立って、パソコン５から転送されるＣＤ−Ｒディスク１に記録しようとする複数のデータについて記録フォーマットへの変換テスト処理（レーザ出力での書き込みはしない）を行い、そのテスト結果から当該ディスクに適応可能な高速記録可能なデータと低速記録すべきデータとを判別する機能（最適記録速度判別手段）と、判別された高速記録可能なデータと低速記録すべきデータとを各々まとめて各記録速度で書き込みを行う機能（書込手段）を備えている。
【００１７】
図２は、ＣＤ−Ｒディスク１のフォーマットの例を示す。ＰＣＡ領域（Ｐｏｗｅｒ  Ｃａｌｉｂｒａｔｉｏｎ  Ａｒｅａ）２２は、レーザ光の最適パワーを検出するためにＯＰＣ動作でのテスト記録を行う領域であり、ＰＭＡ領域（Ｐｒｏｇｒａｍ  Ｍｅｍｏｒｙ  Ａｒｅａ  ）２３は、トラックにデータを記録する前後にトラックに関する情報を記録する領域である。リードインエリア２４は、セッション情報としてトラックナンバー、トラックのスタート時間等を含むＴＯＣ（Ｔａｂｌｅ  ｏｆ  Ｃｏｎｔｅｎｔｓ）情報が記録される領域、プログラムエリア（ユーザデータエリアともいう）２５は、複数のトラックが形成され、各種のデータが記録される領域、リードアウトエリア２６は、セッションの最後を示す領域である。また、リードインエリア２４には、そのディスクの適応可能な記録速度（標準倍速、２倍速、４倍速など）や最適レーザパワー等がＡＴＩＰ情報としてメーカ側にてエンコードされている。
【００１８】
図３は、パソコン５のライティングツール７及びＣＤ−Ｒドライブ２のＣＰＵ１０による、複数のデータの記録動作の処理のフローチャートである。ＣＤ−Ｒディスク１をＣＤ−Ｒドライブ２（ライター）に挿入し、ライティングツール７により記録動作開始を指示すると、記録しようとするデータがパソコン（ＰＣ）データであるかオーディオデータであるかを調べ（Ｓ１）、パソコン（ＰＣ）データであれば、ＣＤ−Ｒドライブ２はＣＤ−Ｒディスク１のＡＴＩＰ情報から対応記録速度を読み取り、テスト書き込み速度をその内の最高速度に設定し（Ｓ２）、テスト記録を行う（Ｓ３）。
【００１９】
このテスト記録（変換テスト処理）では、設定された記録速度において、まず、通常の記録動作と同様に記録しようとする複数のデータを順次所定のＣＤフォーマットへ変換し、次に、変換したデータを記録信号処理部に出力することなく（すなわち光ヘッド１３のレーザを駆動することなく）ＲＡＭ１７に書き込み、それを読み出す。このとき、データファイル構造の複雑さやＣＤ−Ｒディスク１が接続されるパソコン５に搭載されたＣＰＵの性能やメモリ容量が少ないことによって設定された記録速度でのテスト記録が不可能であった場合には、記録しようとするデータのＣＤフォーマットへの変換処理が追いつかず、所定の動作が行えなくなってしまい、ＲＡＭ１７には正しいデータが記録されなくなってしまう。すなわち、ＲＡＭ１７には、設定された記録速度で記録可能なデータについては正しく記録され、設定された記録速度で記録不可能なデータについては正しく記録されない。従って、テスト記録（変換テスト処理）では、テスト記録時にＲＡＭ１７に記録したデータを読み出し、その中で正しいデータについては、テスト結果がＯＫであるデータ（設定の記録速度での記録が可能なデータ）であると判断し、それ以外のデータについては、テスト結果がＮＧであるデータ（設定の記録速度よりも低速で記録すべきデータ）であると判断する。
今の場合、設定されている記録速度はＣＤ−Ｒディスク１に適応可能な最高の記録速度であり、テスト記録（変換テスト処理）の結果がＯＫであると判別されたデータをＣＤ−Ｒディスク１に適応可能な高速記録（最高速度での記録）が可能なデータに分類し、これをライティングツール７の設定速度専用領域（メモリ）に配置する（Ｓ４）。
最高の記録速度でのテスト記録（変換テスト処理）の結果、ＮＧであると判別されたデータがあれば（Ｓ５でＹＥＳ）、１ランク低速の速度設定を行い（Ｓ６）、その設定速度でテスト記録（変換テスト処理）を行う（Ｓ３）。そして、テスト記録（変換テスト処理）の結果がＯＫであると判別されたデータを１ランク低速で記録が可能なデータに分類し、これをライティングツール７の設定速度専用領域（メモリ）に配置する（Ｓ４）。以下、各設定速度で同様の処理を行う。このように、Ｓ３〜Ｓ６の処理により、各設定速度でのテスト記録（変換テスト処理）を行い、各設定速度での記録可能なデータを判別することで、記録しようとする各データについて最適記録速度の判別を行う（例えば、４倍速、２倍速、標準速など）。
【００２０】
次に、判別によりメモリに配置された高速記録可能なデータと低速記録すべきデータとを各々まとめ、まず、ＣＤ−Ｒディスク１に最高速度を設定し（Ｓ７）、高速記録可能なデータを順次ＣＤ−Ｒディスク１に正式に記録する（Ｓ８）。その書き込みの後、低速書き込みデータがあるかを調べ（Ｓ９）、低速書き込みデータがあれば、セッションクローズを行ってから、記録速度を１ランク低速に設定し（Ｓ１０）、低速記録での記録を行う。低速書き込みデータがなければ、終了処理を行う。また、上記Ｓ１で、記録データがオーディオデータである場合は、ユーザ指定の所定の書き込み速度（例えば、４倍速、２倍速、標準速のいずれか）を設定し（Ｓ１１）、テスト記録を行い（Ｓ１２）、設定速度で支障があるかを調べて（Ｓ１３）、支障があれば、Ｓ１１に戻り、書き込み速度を設定し直す。支障がなければ、記録を行い（Ｓ１４）、その後、終了処理を行う。
【００２１】
上記Ｓ９，Ｓ１０及びＳ８の処理においては、例えば、３種のデータＡ，Ｂ，Ｃがあって、Ａは４倍速、Ｂは２倍速、Ｃは４倍速で記録可能であると判別された場合、まず４倍速でＡとＣのデータを順次記録し、その後、セッションクローズを行ってから、２倍速でＢのデータを記録する。このような記録動作を行うことで、セッションクローズは１回ですみ、効率良く記録領域を使用することができると同時に、記録（書き込み）時間の短縮が図れる。
【００２２】
なお、本発明は上記実施形態の構成に限られず、種々の変形が可能であり、例えば、上記ではＣＤ−Ｒドライブ２について説明したが、その他のドライブ装置にも適用可能であり、その場合にも書き込み時間の短縮効果が同様に得られる。
【００２３】
【発明の効果】
以上のように本発明によれば、光ディスクに記録しようとする複数のデータについて記録フォーマットへの変換テスト処理を行うことで、その光ディスクに適応可能な高速記録可能なデータと低速記録すべきデータとを判別し、高速記録可能なデータと低速記録すべきデータとを各々まとめて各記録速度で書き込みを行うようにしたので、使用する追記型光ディスクの適応可能な記録倍速の中でも可能な限り高い記録速度で記録を行なえ、記録時間の短縮が図れる。
【図面の簡単な説明】
【図１】本発明の一実施形態によるＣＤ−Ｒドライブ装置を成すシステムの概略構成図である。
【図２】ＣＤ−Ｒディスクのフォーマットの例を示す図である。
【図３】パソコン及びＣＤ−Ｒドライブによる記録動作の処理のフローチャートである。
【符号の説明】
１  ＣＤ−Ｒディスク
２  ＣＤ−Ｒドライブ
５  パーソナルコンピュータ（最適記録速度判別手段、書き込み手段）
７  ライティングツール
１０  ＣＰＵ
１３  光ヘッド
【図１】
0003546725.tif 000002
【図２】
0003546725.tif 000003
【図３】
0003546725.tif 000004